(57)【要約】【課題】ユーザが電子チラシから選択した一部の内容が購入対象商品に関連する情報として購入対象商品管理アプリケーションに登録されるようにする。【解決手段】電子チラシ閲覧アプリケーション上での画面遷移を指示する操作に応じて、電子チラシ閲覧アプリケーションから当該操作が行われていたときに表示されていた電子チラシを指定する情報を有効化の指示とともに購入対象商品管理アプリケーションに受け渡す。指示に応じて有効化された購入対象商品管理アプリケーションは、受け渡された情報に基づいて取得した電子チラシに基づき電子チラシ画像を表示する。表示された電子チラシ画像から切り抜きを行う操作が行われるのに応じて、切り抜かれた画像を新規登録の購入対象商品に対応付けて記憶する。【選択図】図８
2015049816.tif 000002
【特許請求の範囲】
【請求項１】
電子チラシ閲覧アプリケーション上で、閲覧対象の電子チラシを表示する閲覧対象電子チラシ表示制御部と、
電子チラシ閲覧アプリケーション上で、電子チラシの画像の一部を購入対象商品管理アプリケーションに登録するための操作画面への遷移を指示する画面遷移指示操作が行われたのに応じて、購入対象商品管理アプリケーションの有効化の指示とともに、前記画面遷移指示操作が行われたときに閲覧対象として表示されていた電子チラシを示す電子チラシ指定情報を購入対象商品管理アプリケーションに受け渡す有効化指示部と、
前記有効化の指示に応じて有効化された前記購入対象商品管理アプリケーション上で、前記有効化指示部により受け渡された電子チラシ指定情報により指定される電子チラシを取得する電子チラシ取得部と、
前記購入対象商品管理アプリケーション上で、前記操作画面として、前記電子チラシ取得部によって取得された電子チラシに基づく電子チラシ画像の一部を選択するための選択操作画面を表示する選択操作画面表示制御部と、
前記購入対象商品管理アプリケーション上で、前記選択操作画面における前記電子チラシ画像の一部を選択する操作に応じて前記電子チラシ画像から選択した選択部分画像を取得する選択部分画像取得部と、
前記購入対象商品管理アプリケーション上で、前記選択部分画像取得部によって取得された選択部分画像を、新規登録の購入対象商品に対応付けて記憶する購入対象商品管理部と
を備える電子チラシ画像処理装置。
【請求項２】
前記選択部分画像取得部は、
画面における位置及びサイズが固定で配置される選択枠を表示し、前記選択枠内に収まる前記電子チラシ画像の部分を前記選択部分画像として取得する
請求項１に記載の電子チラシ画像処理装置。
【請求項３】
前記選択部分画像取得部は、
前記電子チラシ画像を移動させる操作に応じて前記電子チラシ画像を移動させる
請求項２に記載の電子チラシ画像処理装置。
【請求項４】
前記選択部分画像取得部は、
前記電子チラシ画像を拡大または縮小させる操作に応じて前記電子チラシを拡大または縮小させる
請求項２または３に記載の電子チラシ画像処理装置。
【請求項５】
前記選択操作画面表示制御部は、
登録済みの購入対象商品に対応して記憶されている選択部分画像の領域ごとに、選択済みの領域であることを示す選択済み領域画像を前記電子チラシ画像に重畳させて表示する
請求項１から４のいずれか一項に記載の電子チラシ画像処理装置。
【請求項６】
電子チラシ閲覧アプリケーション上で、閲覧対象の電子チラシを表示する閲覧対象電子チラシ表示制御ステップと、
電子チラシ閲覧アプリケーション上で、電子チラシの画像の一部を購入対象商品管理アプリケーションに登録するための操作画面への遷移を指示する画面遷移指示操作が行われたのに応じて、購入対象商品管理アプリケーションの有効化の指示とともに、前記画面遷移指示操作が行われたときに閲覧対象として表示されていた電子チラシを示す電子チラシ指定情報を購入対象商品管理アプリケーションに受け渡す有効化指示ステップと、
前記有効化の指示に応じて有効化された前記購入対象商品管理アプリケーション上で、前記有効化指示ステップにより受け渡された電子チラシ指定情報により指定される電子チラシを取得する電子チラシ取得ステップと、
前記購入対象商品管理アプリケーション上で、前記操作画面として、前記電子チラシ取得ステップによって取得された電子チラシに基づく電子チラシ画像の一部を選択するための選択操作画面を表示する選択操作画面表示制御ステップと、
前記購入対象商品管理アプリケーション上で、前記選択操作画面における前記電子チラシ画像の一部を選択する操作に応じて前記電子チラシ画像から選択した選択部分画像を取得する選択部分画像取得ステップと、
前記購入対象商品管理アプリケーション上で、前記選択部分画像取得ステップによって取得された選択部分画像を、新規登録の購入対象商品に対応付けて記憶する購入対象商品管理ステップと
を備える電子チラシ画像処理方法。
【請求項７】
コンピュータに、
電子チラシ閲覧アプリケーション上で、閲覧対象の電子チラシを表示する閲覧対象電子チラシ表示制御ステップと、
電子チラシ閲覧アプリケーション上で、電子チラシの画像の一部を購入対象商品管理アプリケーションに登録するための操作画面への遷移を指示する画面遷移指示操作が行われたのに応じて、購入対象商品管理アプリケーションの有効化の指示とともに、前記画面遷移指示操作が行われたときに閲覧対象として表示されていた電子チラシを示す電子チラシ指定情報を購入対象商品管理アプリケーションに受け渡す有効化指示ステップと、
前記有効化の指示に応じて有効化された前記購入対象商品管理アプリケーション上で、前記有効化指示ステップにより受け渡された電子チラシ指定情報により指定される電子チラシを取得する電子チラシ取得ステップと、
前記購入対象商品管理アプリケーション上で、前記操作画面として、前記電子チラシ取得ステップによって取得された電子チラシに基づく電子チラシ画像の一部を選択するための選択操作画面を表示する選択操作画面表示制御ステップと、
前記購入対象商品管理アプリケーション上で、前記選択操作画面における前記電子チラシ画像の一部を選択する操作に応じて前記電子チラシ画像から選択した選択部分画像を取得する選択部分画像取得ステップと、
前記購入対象商品管理アプリケーション上で、前記選択部分画像取得ステップによって取得された選択部分画像を、新規登録の購入対象商品に対応付けて記憶する購入対象商品管理ステップと
を実行させるためのプログラム。
【発明の詳細な説明】
【技術分野】
【０００１】
本発明は、電子チラシ画像処理装置、電子チラシ画像処理方法及びプログラムに関する。
【背景技術】
【０００２】
ユーザが買いたいと思った品物を事前に登録しておき、登録された品物の一覧を表示させることにより、ユーザが買いたいと思っていた品物を確認することのできる買い物メモのプログラム（アプリケーション）が知られている（例えば、特許文献１参照）。
また、電子チラシを端末装置に配信し、端末装置にて電子チラシを閲覧することのできる電子チラシの配信システムが知られている（例えば、特許文献２参照）。
【先行技術文献】
【特許文献】
【０００３】
【特許文献１】特開２００４−９４５７２号公報
【特許文献２】特開２０１３−１０９７７１号公報
【発明の概要】
【発明が解決しようとする課題】
【０００４】
電子チラシには、特売品などをはじめとしてユーザにとって興味のある商品が多数掲載されている。このため、ユーザが電子チラシのなかから買いたいと思う商品を見つけた場合に、見つけた商品を買い物メモのアプリケーションに登録するという利用の態様も十分に考えられる。
【０００５】
電子チラシに掲載されている商品のうちでユーザが購入対象として選択した商品を、上記の買い物メモのような買い物を管理するアプリケーション（購入対象商品管理アプリケーション）に登録しようとする場合のユーザの作業としては、以下のような手順になる。
つまり、ユーザは、まず、端末装置上で閲覧した電子チラシから見つけた購入対象の商品を事前に覚えておくようにする。そのうえで、同じ端末装置上で購入対象商品管理アプリケーションを起動させ、起動した購入対象商品管理アプリケーションに対して、事前に覚えておいた商品の商品名などをはじめとする情報を登録する操作を行う。
このように、現状においては、電子チラシに掲載されていた商品の情報を購入対象商品管理アプリケーションに登録する作業は、ユーザが買いたいと思う商品を覚えておくようにしたうえで、端末装置上で起動するアプリケーションを切り替える作業を伴うことから、簡易であるとはいえない。
【０００６】
このようなことを背景とすれば、電子チラシに掲載されている商品を、購入対象商品管理アプリケーションに対して簡単に登録できるようにすることがユーザにとっては好ましいことになる。
【０００７】
本発明は、このような事情に鑑みてなされたもので、ユーザが電子チラシから選択した一部の内容が購入対象商品に関連する情報として購入対象商品管理アプリケーションに登録されるようにすることを目的とする。
【課題を解決するための手段】
【０００８】
上述した課題を解決するために、本発明の一態様としての電子チラシ画像処理装置は、電子チラシ閲覧アプリケーション上で、閲覧対象の電子チラシを表示する閲覧対象電子チラシ表示制御部と、電子チラシ閲覧アプリケーション上で、電子チラシの画像の一部を購入対象商品管理アプリケーションに登録するための操作画面への遷移を指示する画面遷移指示操作が行われたのに応じて、購入対象商品管理アプリケーションの有効化の指示とともに、前記画面遷移指示操作が行われたときに閲覧対象として表示されていた電子チラシを示す電子チラシ指定情報を購入対象商品管理アプリケーションに受け渡す有効化指示部と、前記有効化の指示に応じて有効化された前記購入対象商品管理アプリケーション上で、前記有効化指示部により受け渡された電子チラシ指定情報により指定される電子チラシを取得する電子チラシ取得部と、前記購入対象商品管理アプリケーション上で、前記操作画面として、前記電子チラシ取得部によって取得された電子チラシに基づく電子チラシ画像の一部を選択するための選択操作画面を表示する選択操作画面表示制御部と、前記購入対象商品管理アプリケーション上で、前記選択操作画面における前記電子チラシ画像の一部を選択する操作に応じて前記電子チラシ画像から選択した選択部分画像を取得する選択部分画像取得部と、前記購入対象商品管理アプリケーション上で、前記選択部分画像取得部によって取得された選択部分画像を、新規登録の購入対象商品に対応付けて記憶する購入対象商品管理部とを備える。
【０００９】
また、上記の電子チラシ画像処理装置において、前記選択部分画像取得部は、画面における位置及びサイズが固定で配置される選択枠を表示し、前記選択枠内に収まる前記電子チラシ画像の部分を前記選択部分画像として取得してもよい。
【００１０】
また、上記の電子チラシ画像処理装置において、前記選択部分画像取得部は、前記電子チラシ画像を移動させる操作に応じて前記電子チラシ画像を移動させてもよい。
【００１１】
また、上記の電子チラシ画像処理装置において、前記選択部分画像取得部は、前記電子チラシ画像を拡大または縮小させる操作に応じて前記電子チラシを拡大または縮小させてもよい。
【００１２】
また、上記の電子チラシ画像処理装置において、前記選択操作画面表示制御部は、登録済みの購入対象商品に対応して記憶されている選択部分画像の領域ごとに、選択済みの領域であることを示す選択済み領域画像を前記電子チラシ画像に重畳させて表示してもよい。
【００１３】
また、本発明の一態様としての電子チラシ画像処理方法は、電子チラシ閲覧アプリケーション上で、閲覧対象の電子チラシを表示する閲覧対象電子チラシ表示制御ステップと、電子チラシ閲覧アプリケーション上で、電子チラシの画像の一部を購入対象商品管理アプリケーションに登録するための操作画面への遷移を指示する画面遷移指示操作が行われたのに応じて、購入対象商品管理アプリケーションの有効化の指示とともに、前記画面遷移指示操作が行われたときに閲覧対象として表示されていた電子チラシを示す電子チラシ指定情報を購入対象商品管理アプリケーションに受け渡す有効化指示ステップと、前記有効化の指示に応じて有効化された前記購入対象商品管理アプリケーション上で、前記有効化指示ステップにより受け渡された電子チラシ指定情報により指定される電子チラシを取得する電子チラシ取得ステップと、前記購入対象商品管理アプリケーション上で、前記操作画面として、前記電子チラシ取得ステップによって取得された電子チラシに基づく電子チラシ画像の一部を選択するための選択操作画面を表示する選択操作画面表示制御ステップと、前記購入対象商品管理アプリケーション上で、前記選択操作画面における前記電子チラシ画像の一部を選択する操作に応じて前記電子チラシ画像から選択した選択部分画像を取得する選択部分画像取得ステップと、前記購入対象商品管理アプリケーション上で、前記選択部分画像取得ステップによって取得された選択部分画像を、新規登録の購入対象商品に対応付けて記憶する購入対象商品管理ステップとを備える。
【００１４】
また、本発明の一態様としてのプログラムは、コンピュータに、電子チラシ閲覧アプリケーション上で、閲覧対象の電子チラシを表示する閲覧対象電子チラシ表示制御ステップと、電子チラシ閲覧アプリケーション上で、電子チラシの画像の一部を購入対象商品管理アプリケーションに登録するための操作画面への遷移を指示する画面遷移指示操作が行われたのに応じて、購入対象商品管理アプリケーションの有効化の指示とともに、前記画面遷移指示操作が行われたときに閲覧対象として表示されていた電子チラシを示す電子チラシ指定情報を購入対象商品管理アプリケーションに受け渡す有効化指示ステップと、前記有効化の指示に応じて有効化された前記購入対象商品管理アプリケーション上で、前記有効化指示ステップにより受け渡された電子チラシ指定情報により指定される電子チラシを取得する電子チラシ取得ステップと、前記購入対象商品管理アプリケーション上で、前記操作画面として、前記電子チラシ取得ステップによって取得された電子チラシに基づく電子チラシ画像の一部を選択するための選択操作画面を表示する選択操作画面表示制御ステップと、前記購入対象商品管理アプリケーション上で、前記選択操作画面における前記電子チラシ画像の一部を選択する操作に応じて前記電子チラシ画像から選択した選択部分画像を取得する選択部分画像取得ステップと、前記購入対象商品管理アプリケーション上で、前記選択部分画像取得ステップによって取得された選択部分画像を、新規登録の購入対象商品に対応付けて記憶する購入対象商品管理ステップとを実行させるためのものである。
【発明の効果】
【００１５】
以上説明したように、本発明によれば、ユーザが電子チラシから選択した一部の内容が購入対象商品に関連する情報として購入対象商品管理アプリケーションに登録されるようになるという効果が得られる。
【図面の簡単な説明】
【００１６】
【図１】本実施形態に係る電子チラシ利用システムの構成例を示す図である。
【図２】本実施形態に係るユーザ端末装置において表示される電子チラシ閲覧画面の態様例を示す図である。
【図３】本実施形態に係るユーザ端末装置において表示される電子チラシ切り抜き操作画面の態様例を示す図である。
【図４】本実施形態に係るユーザ端末装置において表示される電子チラシ切り抜き操作画面として、切り抜き元電子チラシ画像の移動とサイズ変更が行われた場合の一態様例を示す図である。
【図５】本実施形態に係るユーザ端末装置において表示される登録確認画面の態様例を示す図である。
【図６】本実施形態に係るユーザ端末装置において表示される登録完了画面の態様例を示す図である。
【図７】本実施形態に係るユーザ端末装置において表示される電子チラシ切り抜き操作画面として切り抜き済みの領域を反映した態様例を示す図である。
【図８】本実施形態に係るユーザ端末装置において表示される購入対象商品一覧画面の態様例を示す図である。
【図９】本実施形態に係るユーザ端末装置の構成例を示す図である。
【図１０】本実施形態に係る電子チラシのデータの構造例を示す図である。
【図１１】本実施形態に係る購入対象商品情報記憶部が記憶する購入対象商品情報の構造例を示す図である。
【図１２】本実施形態に係るユーザ端末装置が電子チラシからの画像の切り抜きに応じた購入対象商品の登録のために実行する処理手順例を示すフローチャートである。
【図１３】本実施形態に係るユーザ端末装置が、電子チラシ切り抜き操作画面の表示のために実行する処理手順例を示すフローチャートである。
【発明を実施するための形態】
【００１７】
［電子チラシ利用システムの構成例］
図１は、本実施形態に係る電子チラシ利用システムの構成例を示している。同図に示す電子チラシ利用システムは、電子チラシ配信サーバ１００と１以上のユーザ端末装置２００（電子チラシ画像処理装置の一例）とを、ネットワーク３００を介して接続して構成される。
【００１８】
電子チラシ配信サーバ１００は、広告主から提供される電子チラシを記憶している。電子チラシは、例えば新聞の折り込み広告などとして配布される電子チラシを電子化したものである。
電子チラシ配信サーバ１００は、記憶した電子チラシのそれぞれをユーザ端末装置２００に配信する。
電子チラシ配信サーバ１００は、ユーザ端末装置２００からの要求に応じて、ユーザ端末装置２００から指定された電子チラシを配信する。
また、電子チラシ配信サーバ１００は、プッシュ通知により、ユーザごとに指定された配信地域に該当する電子チラシのリストの情報を所定時刻に送信することができる。
【００１９】
ユーザ端末装置２００には、電子チラシを閲覧するための電子チラシ閲覧アプリケーションがインストールされている。ユーザは、電子チラシ閲覧アプリケーションが起動されたユーザ端末装置２００を操作することにより、電子チラシ配信サーバ１００から配信された電子チラシを電子チラシ閲覧アプリケーション上で表示させ、表示された電子チラシを閲覧することができる。
【００２０】
また、ユーザ端末装置２００には、購入対象商品管理アプリケーションがインストールされている。購入対象商品管理アプリケーションは、ユーザが購入するつもりでいる商品（購入対象商品）を管理するアプリケーションである。
ユーザは、購入対象商品管理アプリケーション上で予め用意された商品候補からの商品の選択操作などによって、自分が購入しようと意図している商品（購入対象商品）を登録することができる。
【００２１】
また、ユーザは、所定の操作によって、電子チラシ閲覧アプリケーション上で閲覧していた電子チラシの画像から選択した画像部分を、購入対象商品管理アプリケーションに登録することができる。つまり、本実施形態においては、ユーザが電子チラシ閲覧アプリケーションを閲覧していて買いたいと思った商品が見つかった場合に、その買いたいと思った商品に対応する電子チラシの画像部分を切り抜く操作を行うことで、切り抜いた画像部分を商品に対応させて購入対象商品管理アプリケーションに登録することができる。
【００２２】
また、購入対象商品管理アプリケーションは、操作に応じて、登録された購入対象商品の一覧を表示することができる。また、購入対象商品管理アプリケーションは、購入対象商品の一覧のうちから選択した商品についての詳細情報を表示させることができる。このように表示される一覧や詳細情報などを見ることで、ユーザは、自分が買おうとしていた商品について確認することができる。つまり、購入対象商品管理アプリケーションは、ユーザが買いたいと意図している商品についての備忘録として利用される。
【００２３】
［操作手順例］
続いて、図２から図８を参照して、ユーザ端末装置２００上で電子チラシから選択した一部の画像を購入対象商品管理アプリケーションに登録するための操作手順例と、操作に応じたユーザ端末装置２００の表示態様例について説明する。
【００２４】
図２は、ユーザ端末装置２００の画面部に電子チラシ閲覧画面が表示されている状態を示している。電子チラシ閲覧画面は、閲覧対象として選択された電子チラシの画像が表示される画面である。また、電子チラシ閲覧画面は、電子チラシ閲覧アプリケーション上で表示される画面である。
なお、以降の説明にあたっては、ユーザ端末装置２００の画面部がタッチパネルとして構成されており、表示部の画面に対して指やスタイラスペンなどの操作体を触れることによる操作が可能である場合を例に挙げる。
【００２５】
同図において、電子チラシ表示エリアＡＲ１は、閲覧対象として選択された電子チラシの画像が表示されるエリアである。電子チラシ表示エリアＡＲ１において表示される電子チラシの画像は、画面に対するスライド操作に応じて任意の方向に移動させることができる。これにより、電子チラシ表示エリアＡＲ１からはみ出していた電池チラシの画像部分を表示させることができる。
また、電子チラシ表示エリアＡＲ１において表示される電子チラシの画像は、ピンチアウト、ピンチインの操作などにより、拡大、縮小することができる。
これらの操作により、ユーザは、閲覧対象の電子チラシにおける任意の部分を適切なサイズで閲覧することができる。
【００２６】
また、ユーザ端末装置２００の画面部には、電子チラシ表示エリアＡＲ１に重畳されるように電子チラシ選択エリアＡＲ２が表示される。電子チラシ選択エリアＡＲ２は、閲覧対象の電子チラシを選択する操作が行われる領域である。なお、電子チラシ選択エリアＡＲ２は、所定の操作によって消去することができる。
【００２７】
電子チラシ選択エリアＡＲ２には、閲覧対象候補の電子チラシごとに応じたサムネイル画像が配列されている。ユーザは、配列されたサムネイル画像のうちから閲覧したい電子チラシを示すサムネイル画像に対するタッチ操作を行う。このタッチ操作に応じて、電子チラシ表示エリアＡＲ１にはタッチ操作が行われたサムネイル画像に対応する電子チラシの画像が表示される。
【００２８】
また、ユーザ端末装置２００の画面部において、電子チラシ表示エリアＡＲ１の上側には、店舗名エリアＡＲ３とチラシタイトルエリアＡＲ４とが表示されている。
店舗名エリアＡＲ３は、電子チラシ表示エリアＡＲ１に表示されている電子チラシの提供元である店舗の名称が表示される領域である。
チラシタイトルエリアＡＲ４は、電子チラシ表示エリアＡＲ１に表示されている電子チラシに付与されたタイトルが表示されるエリアである。
【００２９】
ここで、ユーザが、電子チラシ表示エリアＡＲ１に表示されている電子チラシを閲覧していて買いたいと思う商品を見つけ、見つけた商品を購入対象商品管理アプリケーションに登録しようとする場合、ユーザは、以下の操作を行う。
つまり、ユーザは、図２において電子チラシ表示エリアＡＲ１の下側に配置される「買い物メモに登録」ボタンＢＴ１を操作する。「買い物メモに登録」ボタンＢＴ１に対する操作は、電子チラシの画像の一部を購入対象商品管理アプリケーションに登録するための操作画面（電子チラシ切り抜き操作画面）への遷移を指示する操作である。
【００３０】
「買い物メモに登録」ボタンＢＴ１に対する操作が行われるのに応じて、購入対象商品管理アプリケーションが有効化される。ここでの購入対象商品管理アプリケーションの有効化とは、購入対象商品管理アプリケーションが起動してアクティブ（有効）な状態となること、あるいは、既に起動してはいるがアクティブではない購入対象商品管理アプリケーションをアクティブな状態に切り替えることである。
このように購入対象商品管理アプリケーションが有効化されることで、ユーザ端末装置２００の画面部において、図３に示す電子チラシ切り抜き操作画面が表示される。電子チラシ切り抜き操作画面は、電子チラシの画像から一部を切り抜く（選択する）ための操作が行われる画面である。
【００３１】
図３に示す電子チラシ切り抜き操作画面は、上記のように起動された購入対象商品管理アプリケーション上で表示される画面である。
電子チラシ切り抜き操作画面は、切り抜き元（選択元）の電子チラシ画像Ｐ１が表示され、表示された電子チラシ画像Ｐ１に対して、切り抜きフレーム（選択枠）ＦＬが重畳して表示される。
【００３２】
電子チラシ画像Ｐ１は、図２に示した電子チラシ閲覧画面において、「買い物メモに登録」ボタンＢＴ１が操作されたときに電子チラシ表示エリアＡＲ１に表示されていたのと同じ電子チラシの画像である。
【００３３】
切り抜きフレームＦＬは、電子チラシ画像Ｐ１から切り抜かれる画像部分を示すために表示される枠である。切り抜きフレームＦＬは、ユーザ端末装置２００の画面部において例えば図３に示す位置とサイズにより固定された状態で、電子チラシ画像Ｐ１に重畳して表示される。
【００３４】
ユーザは、ユーザ端末装置２００の画面部に対するスライド操作に応じて電子チラシ画像Ｐ１を任意の方向に移動させることが可能である。また、ユーザは、所定操作によって電子チラシ画像Ｐ１のサイズを変更することができる。具体的に、ユーザは、画面部に対するピンチアウトの操作により電子チラシ画像Ｐ１を拡大し、ピンチインの操作により電子チラシ画像Ｐ１を縮小することができる。
これらの操作により、ユーザは、電子チラシ画像Ｐ１において、切り抜きたい画像部分が切り抜きフレームＦＬに収まるように調整する。このような操作によって切り抜きフレームＦＬに収められる電子チラシ画像Ｐ１の画像部分は、ユーザが切り抜きたい部分、即ち、電子チラシ画像Ｐ１において、ユーザが購入したい商品が掲載されている部分になる。
【００３５】
一例として、図４には、図３の状態から電子チラシ画像Ｐ１の移動、拡大などの操作を行った結果、電子チラシ切り抜き操作画面において、電子チラシ画像Ｐ１の右上側の１つの商品に対応する画像部分を切り抜きフレームＦＬ内に収めた状態が示されている。
【００３６】
ユーザは、電子チラシ画像Ｐ１から切り抜きたい部分が意図したとおりに切り抜きフレームＦＬに収まっていることを確認すると、電子チラシ画像Ｐ１上に重畳表示されている決定ボタンＢＴ１１を操作する。
決定ボタンＢＴ１１が操作されるのに応じて、購入対象商品管理アプリケーションは、図５に示す登録確認画面を表示する。
【００３７】
図５に示す登録確認画面は、電子チラシ画像Ｐ１から切り抜いた部分の画像（選択部分画像）に対応する購入対象商品の登録内容を確認するための画面である。同図に示す登録確認画面においては、登録確認画像Ｐ２と、入力ボックスＢｘ１からＢｘ４と、キャンセルボタンＢＴ２１、登録ボタンＢＴ２２が表示される。
【００３８】
登録確認画像Ｐ２は、図３または図４に示した電子チラシ切り抜き操作画面において決定ボタンＢＴ１１が操作された際に切り抜きフレームＦＬ内に収まっていた部分の画像を示す。ユーザは、登録確認画像Ｐ２を見ることにより、電子チラシから切り抜いた画像部分が自分の意図通りであるか否かについて確認することができる。
【００３９】
入力ボックスＢｘ１は、対応の購入対象商品についての名称が入力されるボックスである。電子チラシ画像Ｐ１からの画像の切り抜きに応じて購入対象商品が登録される場合、入力ボックスＢｘ１には、電子チラシ画像Ｐ１の電子チラシにメタデータとして付与されたチラシタイトルが入力済みの状態で表示される。
このように入力ボックスＢｘ１に対してチラシタイトルの文字列が入力されるようになっていることで、電子チラシから切り抜いた画像部分を、切り抜き元の電子チラシのチラシタイトルと関連付けることができる。
【００４０】
なお、登録確認画面の初期表示において入力ボックスＢｘ１に名称として入力されているチラシタイトルは、初期値として入力された暫定的なものである。ユーザは、文字入力操作によって、入力ボックスＢｘ１に入力される文字列を、商品名などの任意の文字列に変更することができる。
入力ボックスＢｘ２は、対応の購入対象商品についての数量が入力されるボックスである。
入力ボックスＢｘ３は、対応の購入対象商品についての単価（価格）が入力されるボックスである。
ここで、入力ボックスＢｘ２と入力ボックスＢｘ３は初期値が未入力となっている。ユーザは、数字入力操作によって、購入したい数量を示す数を入力ボックスＢｘ２に入力することができる。また、ユーザは、数字入力操作によって、購入対象商品についての価格を入力ボックスＢｘ３に入力することができる。
【００４１】
入力ボックスＢｘ４は、対応の購入対象商品を購入する店舗の名称（店舗名）が入力されるボックスである。
電子チラシ画像Ｐ１からの画像の切り抜きに応じて購入対象商品が登録される場合、入力ボックスＢｘ４には、電子チラシ画像Ｐ１の電子チラシにメタデータとして付与された店舗名が初期値として入力された状態で表示される。
このように入力ボックスＢｘ４に対して店舗名が入力されることで、ユーザは、自分で対応の店舗名を入力する必要がない。ただし、ユーザは、入力ボックスＢｘ４に対する文字入力操作によって店舗名を変更できる。
【００４２】
ユーザは、図５に示される登録確認画面の内容を見て、例えば電子チラシ切り抜き操作画面上での操作のやり直しなどのために登録確認画面の内容を破棄したければ、キャンセルボタンＢＴ２１を操作する。キャンセルボタンＢＴ２１の操作に応じて、ユーザ端末装置２００の画面部は、例えば図３に示される電子チラシ切り抜き操作画面に戻る。
【００４３】
一方、図５に示される登録確認画面の内容でよければ、ユーザは、登録ボタンＢＴ２２を操作する。登録ボタンＢＴ２２の操作に応じて、購入対象商品管理アプリケーションは、図５の登録確認画面に示されている内容を含む購入対象商品情報を記憶する。これにより、今回の登録操作に応じた新たな購入対象商品の登録が行われる。また、登録ボタンＢＴ２２の操作に応じて、ユーザ端末装置２００の画面部は、図６に示す登録完了画面の表示に遷移する。
【００４４】
図６に示す登録完了画面においては、図５の登録確認画面において表示されていたのと同じ登録確認画像Ｐ２が表示される。登録完了画面において表示される登録確認画像Ｐ２を見ることで、ユーザは、登録確認画面において確認したのと同じ内容が登録されたことを確認できる。
【００４５】
また、登録完了画面には、登録続行ボタンＢＴ３１と購入対象商品確認ボタンＢＴ３２とが配置されている。
登録続行ボタンＢＴ３１を操作した場合には、ユーザ端末装置２００の画面部は、例えば図３に示される電子チラシ切り抜き操作画面に戻る。これにより、ユーザは、電子チラシからさらに別の商品に対応する画像部分を切り抜いて購入対象商品管理アプリケーションに登録する操作を行うことができる。
【００４６】
図７は、上記のように登録続行ボタンＢＴ３１を操作した場合の電子チラシ切り抜き操作画面の一例である。
図７に示す電子チラシ切り抜き操作画面では、電子チラシ画像Ｐ１においてこれまで切り抜きが行われた領域部分については、図７に示すように、切り抜き済み領域画像ＡＲ１１が重畳して表示される。
【００４７】
切り抜き済み領域画像ＡＲ１１は、電子チラシ画像Ｐ１とは異なるレイヤ（層）の画像であって、所定の透明度が設定されており、電子チラシ画像Ｐ１の上層側に重畳される。
そのうえで、切り抜き済み領域画像ＡＲ１１の各々もそれぞれが異なるレイヤの画像として電子チラシ画像Ｐ１に対して重畳するように配置される。これにより、同図に示すように、切り抜き済み領域画像ＡＲ１１が重複する重複領域ＡＲ１２は、異なるレイヤの画像が重なることになるため、切り抜き済み領域画像ＡＲ１１において重複していない領域よりも濃い色合いによって表示される。
【００４８】
一方、購入対象商品確認ボタンＢＴ３２が操作された場合、ユーザ端末装置２００の画面部は、図８に示すように、購入対象商品一覧画面の表示に遷移する。購入対象商品一覧画面は、購入対象商品管理アプリケーション上で登録されている購入対象商品の一覧を提示する画像である。
図８の購入対象商品一覧画面においては、購入対象商品リスト領域ＡＲ２１が配置される。購入対象商品リスト領域ＡＲ２１においては、登録済みの購入対象商品ごとに対応するリスト項目が表示される。同図においては、６つの登録済みの購入対象商品ごとに対応する６つのリスト項目が表示されている例を示している。各リスト項目においては、サムネイル画像と、文字列による商品名及び店舗名の情報が示される。
【００４９】
本実施形態において、購入対象商品管理アプリケーションに購入対象商品を登録するにあたっては２つの操作方法がある。
１つは、購入対象商品管理アプリケーションが予め用意した商品リストから商品名を選択する操作や、文字入力操作などにより商品名を入力する操作によって購入対象商品を登録するという操作方法（通常登録方法）である。
もう１つは、図２から図６により説明したように、電子チラシから画像部分を切り抜く操作に応じて、購入対象商品を登録するという操作方法（電子チラシ利用登録方法）である。
【００５０】
図８において、通常登録方法により登録された購入対象商品のリスト項目は、上から下にかけて最後となる６番目のリスト項目である。この６番目のリスト項目においては、左側にサムネイル画像が表示され、その右側に文字列による商品情報欄が配置される。通常登録方法により登録された購入対象商品のリスト項目の場合、サムネイル画像として、対応の商品名に対応して予め用意（記憶）された絵柄による画像が表示される。また、商品情報欄においては、通常登録方法により登録された購入対象商品の商品名を示す文字列が表示される。
一方、電子チラシ利用登録方法によって登録された購入対象商品のリスト項目は、１番目から５番目までの５つのリスト項目である。これらの電子チラシ利用登録方法に対応する各リスト項目においても、左側にサムネイル画像が表示され、その右側に文字列による商品情報欄が配置される。
電子チラシ利用登録方法により登録された購入対象商品のリスト項目の場合、サムネイル画像として、電子チラシから切り抜いた画像部分が表示される。また、商品情報欄においては、切り抜き元の電子チラシのデータに含まれていたチラシタイトルと店舗名が、それぞれ商品名、店舗名として文字列により表示される。
ユーザは、同図に示す表示内容を見ることにより、これまでに登録した購入対象商品がどのようなものであるのかについて確認することができる。
【００５１】
なお、購入対象商品管理アプリケーションは、他の一般的なアプリケーションと同様に、例えば、ホーム画面などに表示された購入対象商品管理アプリケーションのアイコンをタッチするという通常の起動操作に応じて起動させることができる。
このように通常の起動操作によって購入対象商品管理アプリケーションが起動された場合には、図８の購入対象商品一覧画面が最初に表示されるようになっている。このように表示される購入対象商品一覧画面には、そのときに購入対象商品情報記憶部２３１が記憶している購入対象商品情報の登録内容が反映されている。つまり、購入対象商品管理アプリケーションにおけるメインの画面は、購入対象商品一覧画面である。
しかし、本実施形態においては、前述のように、図２の電子チラシ閲覧画面「買い物メモに登録」ボタンＢＴ１に対する操作に応じて購入対象商品管理アプリケーションが起動された場合には、購入対象商品一覧画面ではなく、図３に示したように電子チラシ切り抜き操作画面が表示されようにしている。これにより、電子チラシから選んだ画像を切り抜いて購入対象商品を購入対象商品管理アプリケーションに登録するという操作が円滑に行われるようにしている。
【００５２】
［ユーザ端末装置の構成例］
図９は、本実施形態に係るユーザ端末装置２００の構成例を示している。同図に示すユーザ端末装置２００は、通信部２０１、制御部２０２、記憶部２０３、表示部２０４及び操作部２０５を備える。
通信部２０１は、ネットワークを経由して電子チラシ配信サーバ１００と通信を実行する。
【００５３】
制御部２０２は、ユーザ端末装置２００にインストールされた電子チラシ閲覧アプリケーションにより、電子チラシの閲覧に対応する処理を実行する。また、制御部２０２は、ユーザ端末装置２００にインストールされた購入対象商品管理アプリケーションにより、購入対象商品の管理に対応する処理を実行する。
【００５４】
制御部２０２は、電子チラシ閲覧アプリケーション対応部２１０と、購入対象商品管理アプリケーション対応部２２０とを備える。電子チラシ閲覧アプリケーション対応部２１０は、ユーザ端末装置２００にインストールされた電子チラシ閲覧アプリケーションに応じた処理を実行する。電子チラシ閲覧アプリケーション対応部２１０は、ユーザ端末装置２００にインストールされた電子チラシ閲覧アプリケーションに応じた処理を実行する。
【００５５】
電子チラシ閲覧アプリケーション対応部２１０は、電子チラシ取得部２１１、閲覧対象電子チラシ表示制御部２１２、有効化指示部２１３を備える。
【００５６】
電子チラシ取得部２１１は、電子チラシ配信サーバ１００が配信する電子チラシを取得する。
電子チラシの取得にあたり、電子チラシ取得部２１１は、通信部２０１からネットワーク３００を介して電子チラシ配信サーバ１００に対して閲覧対象の電子チラシを指定して電子チラシ要求を送信する。電子チラシは、例えばチラシＩＤと店舗ＩＤとの組合せによって指定される。
例えば広告主としては異なるが同系列店であるために電子チラシの内容が複数の店舗で同じであることがから、複数の店舗のそれぞれが提供する電子チラシが同じチラシＩＤとなる場合がある。このような場合には、チラシＩＤと店舗ＩＤとを組合せることにより１つの広告主の店舗が提供した電子チラシを一意に特定できる。
【００５７】
電子チラシ配信サーバ１００は、電子チラシ要求の受信に応答して、受信した電子チラシ要求が指定する電子チラシのデータを、電子チラシ要求の送信元のユーザ端末装置２００に送信する。このように送信された電子チラシのデータは、通信部２０１にて受信される。電子チラシ取得部２１１は、このように通信部２０１にて受信された電子チラシのデータを取得する。
【００５８】
図１０は、電子チラシのデータの構造例を示している。同図に示す電子チラシのデータは、チラシＩＤ、チラシタイトル、店舗ＩＤ、店舗名及びチラシデータを含む。
チラシＩＤは、対応の電子チラシに固有の識別子を示す。
チラシタイトルは、対応の電子チラシに付与されたタイトルとしての文字列を示す。チラシタイトルは、例えば図２におけるチラシタイトルエリアＡＲ４におけるチラシタイトルや、図５における入力ボックスＢｘ１における名称としての初期値の入力などに利用される。
【００５９】
店舗ＩＤは、対応の電子チラシの広告主である店舗に付与された固有の識別子を示す。
店舗名は、対応の電子チラシの広告主である店舗の名称としての文字列を示す。前述のように、店舗名は、図２における店舗名エリアＡＲ３における店舗名としての文字列の表示や、図５における入力ボックスＢｘ４において入力される初期値などに利用される。
【００６０】
チラシデータは、対応の電子チラシとしてのデータである。チラシデータを利用することにより図２における電子チラシ表示エリアＡＲ１の画像や、図３などにおける電子チラシ画像Ｐ１が表示される。
【００６１】
説明を図９に戻す。
閲覧対象電子チラシ表示制御部２１２は、閲覧対象の電子チラシを表示する。具体的に、閲覧対象電子チラシ表示制御部２１２は、電子チラシ取得部２１１によって取得された閲覧対象の電子チラシを表示部２０４にて表示させるための制御を実行する。閲覧対象電子チラシ表示制御部２１２が表示制御を実行することにより、図２に例示した電子チラシ閲覧画面が表示部２０４の画面部にて表示される。
【００６２】
有効化指示部２１３は、「買い物メモに登録」ボタンＢＴ１に対する操作（画面遷移指示操作）が行われるのに応じて、購入対象商品管理アプリケーションの有効化を指示する。ここでの購入対象商品管理アプリケーションの有効化とは、前述したように、購入対象商品管理アプリケーションがアクティブ（有効）な状態となるように起動させること、または、既に起動してはいるがアクティブではない購入対象商品管理アプリケーションをアクティブな状態に切り替えることである。
また、有効化指示部２１３は、購入対象商品管理アプリケーションの有効化の指示とともに、電子チラシ指定情報を購入対象商品管理アプリケーションに受け渡す。
【００６３】
電子チラシ指定情報は、「買い物メモに登録」ボタンＢＴ１に対する操作が行われていたときに電子チラシ閲覧画面の電子チラシ表示エリアＡＲ１に表示されていた電子チラシを指定する情報である。
具体的に、電子チラシ指定情報は、指定の電子チラシのチラシＩＤと店舗ＩＤとを含む。本実施形態においては、前述のようにチラシＩＤと店舗ＩＤとにより１つの電子チラシが特定される。
なお、電子チラシ指定情報には、チラシＩＤと店舗ＩＤの他に、指定の電子チラシについてのチラシタイトル、枚数、レイアウトなどの情報が含まれてもよい。
【００６４】
購入対象商品管理アプリケーション対応部２２０は、電子チラシ取得部２２１、切り抜き操作画面表示制御部（選択操作画面表示制御部）２２２、切り抜き画像取得部（選択部分画像取得部）２２３、購入対象商品管理部２２４及び購入対象商品情報表示制御部２２５を備える。
【００６５】
電子チラシ取得部２２１は、有効化指示部２１３から受け渡された電子チラシ指定情報により指定される電子チラシを取得する。
有効化指示部２１３から受け渡された電子チラシ指定情報には、指定の電子チラシに対応するチラシＩＤと店舗ＩＤとが含まれている。電子チラシ取得部２２１は、受け渡された電子チラシ指定情報に含まれるチラシＩＤと店舗ＩＤとの組合せに対応する電子チラシを要求する電子チラシ要求を電子チラシ配信サーバ１００に送信する。
電子チラシ配信サーバ１００は、送信された電子チラシ要求に応答して電子チラシのデータを送信し、送信された電子チラシのデータはユーザ端末装置２００の通信部２０１にて受信される。電子チラシ取得部２２１は、このように受信された電子チラシのデータを取得する。
このようにして、電子チラシ取得部２２１は、「買い物メモに登録」ボタンＢＴ１に対する操作が行われていたときに電子チラシ表示エリアＡＲ１に表示されていた電子チラシを取得することができる。
【００６６】
切り抜き操作画面表示制御部２２２は、電子チラシ取得部２２１によって取得された電子チラシに基づく電子チラシ画像からの切り抜き画像の切り抜きに関連する操作画面を表示する。
具体的に、切り抜き操作画面表示制御部２２２は、電子チラシ画像からの切り抜き画像の切り抜きに関連する操作画面として、図３に例示した電子チラシ切り抜き操作画面を表示することができる。
電子チラシ切り抜き操作画面を表示するにあたり、切り抜き操作画面表示制御部２２２は、電子チラシ取得部２２１によって取得された電子チラシのデータを利用して、電子チラシ画像Ｐ１を生成する。切り抜き操作画面表示制御部２２２は、生成した電子チラシ画像Ｐ１を表示し、表示した電子チラシ画像Ｐ１対してさらに切り抜きフレームＦＬや決定ボタンＢＴ１１を重畳させる。
【００６７】
切り抜き画像取得部２２３は、電子チラシ切り抜き操作画面における電子チラシ画像Ｐ１の一部を切り抜く（選択する）操作に応じて、電子チラシ画像から一部を切り抜いた（選択した）切り抜き画像（選択部分画像）を取得する。
【００６８】
具体的に、切り抜き操作画面表示制御部２２２は、図３及び図４により説明したように、電子チラシ切り抜き操作画面に対して行われる電子チラシ画像Ｐ１の移動、拡大、縮小の操作に応じて、電子チラシ画像Ｐ１の移動、拡大、縮小を行う。このように電子チラシ画像Ｐ１の移動、拡大、縮小が行われることで、切り抜きフレームＦＬに収まる電子チラシ画像Ｐ１の画像部分が変更される。
そして、切り抜き画像取得部２２３は、決定ボタンＢＴ１１に対する操作が行われたときに切り抜きフレームＦＬに収まっていた電子チラシ画像Ｐ１の画像部分を切り抜き画像として取得する。
【００６９】
購入対象商品管理部２２４は、切り抜き画像取得部２２３によって取得された切り抜き画像を、新規登録の購入対象商品に対応付けて記憶する。
具体的に、購入対象商品管理部２２４は、登録ボタンＢＴ２２に対する操作に応じて、切り抜き画像取得部２２３によって取得された切り抜き画像を含む購入対象商品情報を生成する。購入対象商品情報は、購入対象商品ごとに対応する情報であって、対応の購入対象商品に関連する所定の情報を含む。
購入対象商品管理部２２４は、生成した購入対象商品情報を、記憶部２０３における購入対象商品情報記憶部２３１に記憶させる。これにより、切り抜き画像に対応する購入対象商品が購入対象商品管理アプリケーション上で新規登録される。
【００７０】
なお、切り抜き画像を含む購入対象商品情報は、記憶部２０３において、購入対象商品管理アプリケーションのみがアクセス可能な領域に記憶される。このため、例えば切り抜き画像のデータが購入対象商品管理アプリケーション以外のアプリケーションによって利用されることはない。
【００７１】
購入対象商品情報表示制御部２２５は、購入対象商品情報記憶部２３１に記憶されている購入対象商品情報を利用して、登録されている購入対象商品についての所定の表示を行う。一例として、購入対象商品情報表示制御部２２５は、図８に例示した購入対象商品一覧画面を表示することができる。
【００７２】
記憶部２０３は、制御部２０２が制御に利用する各種の情報を記憶する。記憶部２０３は、購入対象商品情報記憶部２３１を備える。
購入対象商品情報記憶部２３１は購入対象商品ごとに対応する購入対象商品情報を記憶する。
【００７３】
図１１は、購入対象商品情報記憶部２３１が記憶する購入対象商品情報の構造例を示している。同図における１行（１レコード）が１つの購入対象商品に対応する購入対象商品情報である。
１つの購入対象商品情報は、名称、数量、単価及び切り抜き画像関連情報を含む。
名称は、対応の購入対象商品の名称を示す。数量は対応の購入対象商品の購入数を示す。
単価は、対応の購入対象商品についての単価（価格）を示す。
【００７４】
切り抜き画像関連情報は、電子チラシ利用登録方法により登録された購入対象商品に対応する購入対象商品情報が格納する情報である。なお、通常登録方法により登録された購入対象商品に対応する購入対象商品情報の場合、切り抜き画像関連情報は空欄である。
【００７５】
切り抜き画像関連情報は、例えば、チラシＩＤ、店舗ＩＤ、店舗名、切り抜き画像、位置及びサイズの各情報を含む。
チラシＩＤは、対応の購入対象商品を登録する際に画像の切り抜きが行われた電子チラシを示す。
店舗ＩＤは、対応の購入対象商品を登録する際に画像の切り抜きが行われた電子チラシの広告主の店舗を示す。
店舗名は、対応の購入対象商品を登録する際に画像の切り抜きが行われた電子チラシの広告主の店舗の名称を示す。
【００７６】
切り抜き画像は、対応の購入対象商品を登録する際に電子チラシから切り抜かれた部分の画像データである。
位置は、対応の切り抜き画像の電子チラシにおける位置を示す。例えば切り抜き画像が四角形である場合には、四角形における頂点の１つを基準点としたうえで、この基準点の座標を位置とすればよい。
サイズは、対応の切り抜き画像のサイズを示す。このサイズは、例えば上記の位置が示す基準点からの縦方向と横方向の長さとして表すことができる。
【００７７】
図１１に示した購入対象商品情報において、名称、数量、単価、店舗名は、それぞれ、図５の登録確認画面における入力ボックスＢｘ１、Ｂｘ２、Ｂｘ３、Ｂｘ４における入力内容と対応する。
また、図１１に示した購入対象商品情報における切り抜き画像の位置とサイズの情報は、例えば、図７に例示したように、電子チラシ切り抜き操作画面において切り抜き済み領域画像ＡＲ１１を重畳表示する際に利用される。
【００７８】
なお、購入対象商品情報の構造は、図１１に例示したものに限定されない。一例として、購入対象商品情報は、登録商品リスト情報と、切り抜き画像関連情報とで個別に管理されるようにしてもよい。
この場合、登録商品リスト情報は、通常登録方法または電子チラシ利用登録方法により登録された購入対象商品ごとの商品識別子に、名称、数量、単価などの情報が対応付けられる。
切り抜き画像関連情報は、電子チラシ利用登録方法により登録された購入対象商品ごとに対応する切り抜き画像についての情報であり、例えば切り抜き画像ごとに付与した切り抜き画像識別子ごとに、図１１に示したのと同様の切り抜き画像関連情報における各情報が対応付けられる。
そのうえで、登録商品リスト情報において、電子チラシ利用登録方法により登録された購入対象商品は、対応の切り抜き画像に付与した切り抜き画像識別子を格納する。これにより、登録商品リスト情報において電子チラシ利用登録方法により登録された購入対象商品の情報と、切り抜き画像関連情報とが対応付けられる。
そして、例えば図８に示す購入対象商品一覧画面を表示する際には、ユーザ端末装置２００は、登録商品リスト情報と切り抜き画像関連情報から必要な情報を読み出して、購入対象商品ごとに対応するリスト項目の画像を生成すればよい。
【００７９】
［処理手順例］
図１２のフローチャートは、ユーザ端末装置２００が電子チラシからの画像の切り抜きに応じた購入対象商品の登録のために実行する処理手順例を示している。
同図におけるステップＳ１０１からＳ１０３までの処理は、制御部２０２における電子チラシ閲覧アプリケーション対応部２１０が実行する。つまり、ステップＳ１０１からＳ１０３の処理は、電子チラシ閲覧アプリケーション上で実行される処理である。
また、ステップＳ１０４からＳ１１９の処理は、購入対象商品管理アプリケーション対応部２２０が実行する。つまり、ステップＳ１０４からＳ１１９の処理は、購入対象商品管理アプリケーション上で実行される処理である。
【００８０】
制御部２０２の電子チラシ閲覧アプリケーション対応部２１０において、電子チラシ取得部２１１は、以下の処理を実行する。つまり、電子チラシ取得部２１１は、図２に示す電子チラシ閲覧画面における電子チラシ選択エリアＡＲ２に対する操作によって閲覧対象の電子チラシが選択されるのに応じて、選択された電子チラシを電子チラシ配信サーバ１００から取得する（ステップＳ１０１）。
具体的に、電子チラシ取得部２１１は、前述のように、選択された電子チラシのチラシＩＤと店舗ＩＤとを指定して電子チラシ配信サーバ１００に電子チラシ要求を送信する。電子チラシ要求に応答して電子チラシ配信サーバ１００が送信した指定の電子チラシのデータがユーザ端末装置２００にて受信される。これにより、電子チラシ取得部２１１は電子チラシを取得することができる。
【００８１】
次に、閲覧対象電子チラシ表示制御部２１２は、ステップＳ１０１により取得された電子チラシを、電子チラシ閲覧画面における電子チラシ表示エリアＡＲ１に表示する（ステップＳ１０２）。
【００８２】
次に、有効化指示部２１３は、電子チラシ閲覧画面における「買い物メモに登録」ボタンＢＴ１に対する操作が行われるのに応じて、購入対象商品管理アプリケーションの有効化を指示する（ステップＳ１０３）。ステップＳ１０３の有効化の指示に応じて、制御部２０２は、購入対象商品管理アプリケーションが起動していなければ購入対象商品管理アプリケーションを起動させてアクティブの状態とする。あるいは、購入対象商品管理アプリケーションが起動してはいるがアクティブではない状態であれば、制御部２０２は、これまでアクティブであった電子チラシ閲覧アプリケーションに代えて購入対象商品管理アプリケーションがアクティブとなるように切り替えを行う。これにより、制御部２０２における購入対象商品管理アプリケーション対応部２２０の機能が有効化される。
また、有効化指示部２１３は、ステップＳ１０３による購入対象商品管理アプリケーションの有効化の指示とともに、電子チラシ表示エリアＡＲ１に表示されていた電子チラシを指定する電子チラシ指定情報を購入対象商品管理アプリケーションに受け渡す（ステップＳ１０４）。
【００８３】
購入対象商品管理アプリケーション対応部２２０において、電子チラシ取得部２２１は、ステップＳ１０３により受け渡された電子チラシ指定情報が指定する電子チラシのデータを電子チラシ配信サーバから取得する（ステップＳ１０５）。
そして、切り抜き操作画面表示制御部２２２は、ステップＳ１０５により取得された電子チラシのデータを利用して、図３に例示したような電子チラシ切り抜き操作画面を表示部２０４に表示する（ステップＳ１０６）。このとき、電子チラシ切り抜き操作画面における電子チラシ画像Ｐ１は、ステップＳ１０５により取得された電子チラシのデータに含まれるチラシデータを利用して表示される。これにより、先に電子チラシ閲覧アプリケーション上で閲覧していたのと同じ電子チラシが、購入対象商品管理アプリケーション上で画像の切り抜き元として表示される。
【００８４】
ステップＳ１０７からＳ１１１の処理は、電子チラシ切り抜き操作画面に対するユーザの操作に応じて、電子チラシ画像Ｐ１から切り抜くべき部分を変更する処理となる。
切り抜き画像取得部２２３は、電子チラシ画像Ｐ１を移動する操作が行われたか否かについて判定する（ステップＳ１０７）。
電子チラシ画像Ｐ１を移動させる操作が行われていなければ（ステップＳ１０７−ＮＯ）、切り抜き画像取得部２２３は、ステップＳ１０８をスキップしてステップＳ１０９に処理を進める。これに対して、電子チラシ画像Ｐ１を移動する操作が行われたのであれば（ステップＳ１０７−ＹＥＳ）、切り抜き画像取得部２２３は、操作に応じた移動方向と移動量により、電子チラシ画像Ｐ１を移動させる（ステップＳ１０９）。
【００８５】
また、切り抜き操作画面表示制御部２２２は、電子チラシ画像Ｐ１を拡大または縮小させる操作が行われたか否かについて判定する（ステップＳ１０９）。
電子チラシ画像Ｐ１を拡大または縮小させる操作が行われていなければ（ステップＳ１０９−ＮＯ）、切り抜き画像取得部２２３は、ステップＳ１１０をスキップしてステップＳ１１１に処理を進める。
これに対して、電子チラシ画像Ｐ１を拡大または縮小させる操作が行われたのであれば（ステップＳ１０９−ＹＥＳ）、切り抜き操作画面表示制御部２２２は、操作に応じた拡大率により電子チラシ画像Ｐ１を拡大または縮小させるように制御する（ステップＳ１１０）。
操作に応じて、ステップＳ１０８またはステップＳ１１０により電子チラシ画像Ｐ１の移動またはサイズ変更（拡大または縮小）が行われることにより、切り抜きフレームＦＬに収まる電子チラシの画像部分が変化する。
【００８６】
また、切り抜き画像取得部２２３は、電子チラシ切り抜き操作画面が表示されている状態において、決定ボタンＢＴ１１が操作されたか否かについて判定している（ステップＳ１１１）。
決定ボタンＢＴ１１が操作されていないのであれば（ステップＳ１１１−ＮＯ）、切り抜き画像取得部２２３は、ステップＳ１０７に処理を戻す。
これに対して、決定ボタンＢＴ１１が操作されたのであれば（ステップＳ１１１−ＹＥＳ）、切り抜き画像取得部２２３は、決定ボタンＢＴ１１が操作されたときに切り抜きフレームＦＬ内に収まっていた電子チラシの画像部分を切り抜く処理を実行する（ステップＳ１１２）。この電子チラシの画像部分を切り抜く処理は、具体的には、切り抜きフレームＦＬ内に収まっていた電子チラシの画像部分の範囲をコピー対象として指定し、指定された範囲をコピーする処理である。
また、切り抜き操作画面表示制御部２２２は、ステップＳ１１２により切り抜かれた画像を利用して、図５に例示したような登録確認画面を表示部２０４に表示する（ステップＳ１１３）。
【００８７】
登録確認画面が表示されている状態において、購入対象商品管理部２２４は、登録ボタンＢＴ２２に対する操作が行われたか否かについて判定する（ステップＳ１１４）。
登録ボタンＢＴ２２に対する操作が行われずに、キャンセルボタンＢＴ２１に対する操作が行われた場合（ステップＳ１１４−ＮＯ）、購入対象商品管理部２２４は、ステップＳ１０６に処理を戻す。
これに対して、登録ボタンＢＴ２２に対する操作が行われたのであれば（ステップＳ１１４−ＹＥＳ）、購入対象商品管理部２２４は、ステップＳ１１２により電子チラシから切り抜かれた部分の画像（切り抜き画像）のデータを含む購入対象商品情報を生成する（ステップＳ１１５）。１つの購入対象商品に対応する購入対象商品情報は、図１１にて説明したように、名称、数量、単価及び切り抜き画像関連情報を含む。切り抜き画像関連情報は、チラシＩＤ、店舗ＩＤ、店舗名、切り抜き画像、位置及びサイズを含む。ステップＳ１１２により電子チラシから切り抜かれた画像部分のデータは、切り抜き画像関連情報における切り抜き画像として格納される。
【００８８】
購入対象商品管理部２２４は、ステップＳ１１５により生成した購入対象商品情報を、購入対象商品情報記憶部２３１に記憶させる（ステップＳ１１６）。これにより、電子チラシ画像Ｐ１から切り抜いた画像に対応する購入対象商品の登録が行われたことになる。
【００８９】
また、切り抜き操作画面表示制御部２２２は、ステップＳ１１６により購入対象商品の登録が行われるのに応じて、図６に例示したような登録完了画面を表示部２０４に表示する（ステップＳ１１７）。
【００９０】
次に、切り抜き操作画面表示制御部２２２は、登録完了画面における購入対象商品確認ボタンＢＴ３２が操作されたか否かについて判定する（ステップＳ１１８）。
購入対象商品確認ボタンＢＴ３２が操作されずに、登録続行ボタンＢＴ３１が操作された場合（ステップＳ１１８−ＮＯ）、切り抜き操作画面表示制御部２２２は、ステップＳ１０６の処理に戻ることによって、電子チラシ切り抜き操作画面を表示部２０４に再び表示する。
これに対して、購入対象商品確認ボタンＢＴ３２が操作された場合（ステップＳ１１８−ＹＥＳ）、購入対象商品情報表示制御部２２５は、図８に例示したような購入対象商品一覧画面を表示部２０４に表示する（ステップＳ１１９）。
【００９１】
これまでの説明から理解されるように、本実施形態においては、購入対象商品管理アプリケーションが、電子チラシ閲覧アプリケーションから電子チラシ指定情報を受け渡されて起動した場合には、電子チラシ指定情報が指定する電子チラシを、切り抜き画像の切り抜き元として表示する。そして、購入対象商品管理アプリケーション上で、電子チラシ画像から切り抜き画像が切り抜かれるのに応じて、切り抜き画像を含む購入対象商品情報が登録される。
【００９２】
このように、本実施形態においては、購入対象商品管理アプリケーションと購入対象商品管理アプリケーションとの連携により、電子チラシに掲載された内容のうちから選択された一部の内容が購入対象商品管理アプリケーションに登録することが可能である。これにより、ユーザは、電子チラシを見て買いたいと思った商品（購入対象商品）を、電子チラシから切り抜いた画像とともに購入対象商品管理アプリケーションに登録できることになり、購入対象商品の登録に関する利便性が向上する。
【００９３】
図１３のフローチャートは、ステップＳ１０６の電子チラシ切り抜き操作画面表示としての処理手順例を示している。
切り抜き操作画面表示制御部２２２は、電子チラシ切り抜き操作画面を表示するにあたり、ステップＳ１０５にて取得した電子チラシのチラシデータを利用して切り抜き元（選択元）の電子チラシ画像Ｐ１を表示する（ステップＳ２０１）。
【００９４】
次に、切り抜き操作画面表示制御部２２２は、ステップＳ２０１により表示された電子チラシ画像Ｐ１から切り抜かれた切り抜き画像の位置及びサイズを、購入対象商品情報記憶部２３１から読み込む（ステップＳ２０２）。
【００９５】
つまり、切り抜き操作画面表示制御部２２２は、ステップＳ２０１により電子チラシ画像Ｐ１として表示された電子チラシを示すチラシＩＤと店舗ＩＤの組合せを含む購入対象商品情報を購入対象商品情報記憶部２３１から検索する。
このように検索された購入対象商品情報は、これまでにおいて、ステップＳ２０１により電子チラシ画像Ｐ１として表示された電子チラシから切り抜かれた切り抜き画像に対応して登録されたものである。
そこで、切り抜き操作画面表示制御部２２２は、ステップＳ２０２の処理として、検索した購入対象商品情報に含まれる位置とサイズの読み込みを行う。
【００９６】
切り抜き操作画面表示制御部２２２は、ステップＳ２０２により読み込んだ切り抜き画像ごとの位置とサイズにより示される切り抜き済み領域画像ＡＲ１１を、ステップＳ２０１により表示した電子チラシ画像Ｐ１の上に重畳させて表示する（ステップＳ２０３）。
このとき、複数の切り抜き済み領域画像ＡＲ１１において重複部分がある場合には、複数の切り抜き済み領域画像ＡＲ１１が重複部分にて重なる。これにより、前述のように、切り抜き済み領域画像ＡＲ１１において他の切り抜き済み領域画像ＡＲ１１と重複していない部分よりも濃い状態で表示される。
【００９７】
切り抜き操作画面表示制御部２２２は、切り抜きフレームＦＬ、ボタン画像、さらには、ユーザへの操作説明などのためのメッセージ画像などを、電子チラシ切り抜き操作画面における所定位置に重畳させて表示する（ステップＳ２０４）。
このようにして、図７に例示したような電子チラシ切り抜き操作画面が表示される。
【００９８】
なお、上述の制御部２０２の機能を実現するためのプログラムをコンピュータ読み取り可能な記録媒体に記録して、この記録媒体に記録されたプログラムをコンピュータシステムに読み込ませ、実行することにより上述の制御部２０２の処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【００９９】
１００  電子チラシ配信サーバ
２００  ユーザ端末装置
２０１  通信部
２０２  制御部
２０３  記憶部
２０４  表示部
２０５  操作部
２１０  電子チラシ閲覧アプリケーション対応部
２１１  電子チラシ取得部
２１２  閲覧対象電子チラシ表示制御部
２１３  有効化指示部
２２０  購入対象商品管理アプリケーション対応部
２２１  電子チラシ取得部
２２２  切り抜き操作画面表示制御部
２２３  切り抜き画像取得部
２２４  購入対象商品管理部
２２５  購入対象商品情報表示制御部
２３１  購入対象商品情報記憶部
３００  ネットワーク
【図１】
2015049816.tif 000003
【図２】
2015049816.tif 000004
【図３】
2015049816.tif 000005
【図４】
2015049816.tif 000006
【図５】
2015049816.tif 000007
【図６】
2015049816.tif 000008
【図７】
2015049816.tif 000009
【図８】
2015049816.tif 000010
【図９】
2015049816.tif 000011
【図１０】
2015049816.tif 000012
【図１１】
2015049816.tif 000013
【図１２】
2015049816.tif 000014
【図１３】
2015049816.tif 000015